【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
吐出口から液体を吐出させる液体吐出ヘッドであって、
液体を吐出するために利用されるエネルギーを発生する吐出エネルギー発生素子と、
前記液体吐出ヘッドの温度を検出する検出手段と、
前記検出手段により検出された温度と所定の目標温度との温度差に応じた異なる発熱量で前記液体吐出ヘッドを加熱する加熱手段と、
複数の前記吐出口のそれぞれに連通し、前記吐出エネルギー発生素子を内部に備える複数の圧力室と、
前記複数の圧力室のそれぞれの一方側に連通する液体の共通供給路と、
前記複数の圧力室のそれぞれの他方側に連通する液体の共通回収路と、
を備え、
前記共通供給路の内部の静圧は、前記共通回収路の内部の静圧よりも高いことを特徴とする液体吐出ヘッド。
【請求項２】
前記検出手段は、第１領域の温度を検出する第１検出手段と、第２領域の温度を検出する第２検出手段と、を含み、
前記加熱手段は、前記第１領域を加熱する第１加熱手段と、前記第２領域を加熱する第２加熱手段と、を含み、
前記液体吐出ヘッドは、所定の目標温度と前記第１検出手段によって検出された温度との温度差に応じて、前記第１加熱手段を発熱させ、前記所定の目標温度と前記第２検出手段によって検出された温度との温度差に応じて、前記第２加熱手段を発熱させる駆動手段を備えることを特徴とする請求項１に記載の液体吐出ヘッド。
【請求項３】
前記第１領域は、前記第２領域よりも温度拡散率が高く、
前記駆動手段は、前記第１加熱手段の発熱量を前記第２加熱手段の発熱量よりも多くすることを特徴とする請求項２に記載の液体吐出ヘッド。
【請求項４】
前記第１領域は、前記第２領域よりも前記共通供給路の上流側に位置し、
前記駆動手段は、前記第１加熱手段の発熱量を前記第２加熱手段の発熱量よりも多くすることを特徴とする請求項２に記載の液体吐出ヘッド。
【請求項５】
前記共通供給路は、供給口を通して前記複数の圧力室に液体を供給し、
前記第１領域は、前記第２領域よりも前記供給口に近い位置にあることを特徴とする請求項４に記載の液体吐出ヘッド。
【請求項６】
前記駆動手段は、前記第１加熱手段および前記第２加熱手段の一方の発熱量が他方よりも高い場合に、前記第１加熱手段および前記第２加熱手段の発熱エネルギーを揃えるように駆動パルスを短くすることを特徴とする請求項２に記載の液体吐出ヘッド。
【請求項７】
前記第１加熱手段および前記第２加熱手段のうちの少なくとも一方は、複数配備されることを特徴とする請求項２から６のいずれか１項に記載の液体吐出ヘッド。
【請求項８】
前記第１検出手段および前記第２検出手段のうちの少なくとも一方は複数配備されることを特徴とする請求項２から７のいずれか１項に記載の液体吐出ヘッド。
【請求項９】
前記駆動手段は、前記第１加熱手段および前記第２加熱手段の駆動電圧の大きさ、および駆動パルスの長さのうちの少なくとも一方を変化させることによって、前記第１加熱手段および前記第２加熱手段の発熱量を変化させることを特徴とする請求項２から８のいずれか１項に記載の液体吐出ヘッド。
【請求項１０】
前記駆動手段は、前記第１領域に配備されて前記第１加熱手段を発熱させる第１駆動手段と、前記第２領域に配備されて前記第２加熱手段を発熱させる第２駆動手段と、を含むことを特徴とする請求項２から９のいずれか１項に記載の液体吐出ヘッド。
【請求項１１】
前記圧力室内の液体は当該圧力室の外部との間で循環されることを特徴とする請求項１から１０のいずれか１項に記載の液体吐出ヘッド。
【請求項１２】
吐出口から液体を吐出させる液体吐出ヘッドであって、
液体を吐出するために利用されるエネルギーを発生する吐出エネルギー発生素子と、
前記液体吐出ヘッドの温度を検出する検出手段であって、第１領域の温度を検出する第１検出手段と、第２領域の温度を検出する第２検出手段と、を含む検出手段と、
前記液体吐出ヘッドを加熱する加熱手段であって、前記第１領域を加熱する第１加熱手段と、前記第２領域を加熱する第２加熱手段と、を含む加熱手段と、
前記検出手段によって検出された温度と所定の目標温度との温度差に応じて異なる発熱量で、前記加熱手段を発熱させる駆動手段と、
複数の前記吐出口に液体を供給する供給路と、
を備え、
前記駆動手段は、所定の目標温度と前記第１検出手段によって検出された温度との温度差に応じて、前記第１加熱手段を発熱させ、前記所定の目標温度と前記第２検出手段によって検出された温度との温度差に応じて、前記第２加熱手段を発熱させ、
前記第１領域は、前記第２領域よりも前記供給路の上流側に位置し、
前記駆動手段は、前記第１加熱手段の発熱量を前記第２加熱手段の発熱量よりも多くすることを特徴とする液体吐出ヘッド。
【請求項１３】
複数の前記吐出口のそれぞれに連通し、前記吐出エネルギー発生素子を内部に備える複数の圧力室と、
前記複数の圧力室のそれぞれの一方側に連通する液体の共通供給路と、
前記複数の圧力室のそれぞれの他方側に連通する液体の共通回収路と、
を備え、
前記共通供給路の内部の静圧は、前記共通回収路の内部の静圧よりも高いことを特徴とする請求項１２に記載の液体吐出ヘッド。
【請求項１４】
前記圧力室内の液体は当該圧力室の外部との間で循環されることを特徴とする請求項１３に記載の液体吐出ヘッド。
【請求項１５】
請求項１から１４のいずれかに記載の液体吐出ヘッドと、
前記液体吐出ヘッドと、前記液体吐出ヘッドから吐出される液体が付与される媒体と、を相対移動させる移動手段と、
を備えることを特徴とする液体吐出装置。
【請求項１６】
複数の吐出口から液体を吐出可能な液体吐出ヘッドの温度制御方法であって、前記液体吐出ヘッドは、前記複数の吐出口と、複数の前記吐出口のそれぞれに連通し、吐出エネルギー発生素子を内部に備える複数の圧力室と、前記複数の圧力室のそれぞれの一方側に連通する液体の共通供給路と、前記複数の圧力室のそれぞれの他方側に連通する液体の共通回収路と、を備え、前記共通供給路の内部の静圧が前記共通回収路の内部の静圧よりも高い、液体吐出ヘッドの温度制御方法であって、
前記複数の吐出口の一部が配備された第１領域の温度を検出する第１検出工程と、
前記複数の吐出口の他の一部が配備された第２領域の温度を検出する第２検出工程と、
所定の目標温度と前記第１検出工程により検出された温度との温度差に応じて、前記第１領域を加熱させ、前記所定の目標温度と前記第２検出工程により検出された温度との温度差に応じて、前記第２領域を加熱させる加熱工程と、
を含むことを特徴とする液体吐出ヘッドの温度制御方法。
【手続補正２】
【補正対象書類名】明細書
【補正対象項目名】０００６
【補正方法】変更
【補正の内容】
【０００６】
本発明の液体吐出ヘッドは、吐出口から液体を吐出させる液体吐出ヘッドであって、液体を吐出するために利用されるエネルギーを発生する吐出エネルギー発生素子と、前記液体吐出ヘッドの温度を検出する検出手段と、前記検出手段により検出された温度と所定の目標温度との温度差に応じた異なる発熱量で前記液体吐出ヘッドを加熱する加熱手段と、複数の前記吐出口のそれぞれに連通し、前記吐出エネルギー発生素子を内部に備える複数の圧力室と、前記複数の圧力室のそれぞれの一方側に連通する液体の共通供給路と、前記複数の圧力室のそれぞれの他方側に連通する液体の共通回収路と、を備え、前記共通供給路の内部の静圧は、前記共通回収路の内部の静圧よりも高いことを特徴とする液体吐出ヘッド。